(57)【要約】【課題】優れた拘持効果を有するかぎつめ部と、潤滑効果が向上した離型方向と平行する直立部と、を備えることにより、容易に離型作業ができるリニアガイドの転動体位置の保持構造を提供する。【解決手段】第１連結部材と、該第１連結部材と平行に並設される第２連結部材と、長手方向に沿って所定の間隔で該第１連結部材と第２連結部材との間に設けられる複数の仕切り部とを備え、前記各仕切り部同士の間における、第１連結部材と第２連結部材との間に収納孔が形成され、該各仕切り部の前記収納孔側の側面における、第１連結部材と第２連結部材との間にそれぞれ、互いに隣接し合う第１拘束面及び第２拘束面が設けられ、前記各第１拘束面は、上方に第１直立部が、下方に第１かぎつめ部が設けられ、該各第２拘束面は、上方に第２かぎつめ部が、下方に第２直立部が設けられることを特徴とする。【選択図】図１
2008144902.tif 000002
【特許請求の範囲】
【請求項１】
第１連結部材と、該第１連結部材と平行に並設される第２連結部材と、長手方向に沿って所定の間隔で該第１連結部材と第２連結部材との間に設けられる複数の仕切り部とを備え、
前記各仕切り部同士の間における、第１連結部材と第２連結部材との間に収納孔が形成され、該各仕切り部の前記収納孔側の側面における、第１連結部材と第２連結部材との間にそれぞれ、互いに隣接し合う第１拘束面及び第２拘束面が設けられ、
前記各第１拘束面は、上方に第１直立部が、下方に第１かぎつめ部が設けられ、該各第２拘束面は、上方に第２かぎつめ部が、下方に第２直立部が設けられ、隣の拘束面同士の直立部とかぎつめ部が交錯に配置されることを特徴とする、リニアガイドの転動体位置の保持構造。
【請求項２】
前記収納孔は円形を呈し、前記仕切り部の収納孔側における、該第１拘束面の第１かぎつめ部は、円弧形を呈する第１縁端部を有し、該第２拘束面の第２かぎつめ部は、円弧形を呈する第２縁端部を有し、該第１縁端部の外側は内側より収納孔側に突出すると共に、該第２縁端部の外側は内側より収納孔側に突出することを特徴とする、請求項１に記載のリニアガイドの転動体位置の保持構造。
【請求項３】
前記収納孔が長方形を呈し、前記仕切り部の収納孔側の側面における、前記第１連結部材と第２連結部材との間に第１拘束面と第２拘束面が設けられ、該第２拘束面における前記第１拘束面と隣接する側の反対側に、第３拘束面が設けられ、該第３拘束面は、上方に第３直立部が、下方に第３かぎつめ部が設けられることを特徴とする、請求項１に記載のリニアガイドの転動体位置の保持構造。
【請求項４】
該第１拘束面の下方に設けられる第１かぎつめ部は前記第１連結部材と及び第２連結部材と平行する直線状を呈する第１縁端部を有し、第２拘束面の上方に設けられる第２かぎつめ部は前記第１連結部材と及び第２連結部材と平行する直線状を呈する第２縁端部を有し、該第３拘束面の下方に設けられる第３かぎつめ部は前記第１連結部材と及び第２連結部材と平行する直線状を呈する第３縁端部を有することを特徴とする、請求項３に記載のリニアガイドの転動体位置の保持構造。
【請求項５】
前記各仕切り部における拘束面の直立部と、相対する仕切り部における拘束面の直立部とが夫々反対方向へ延出していることを特徴とする、請求項１乃至請求項３のいずれかに記載のリニアガイドの転動体位置の保持構造。
【発明の詳細な説明】
【技術分野】
【０００１】
本発明は、特にプラスチック成形によりなるリニアガイドの転動体位置の保持構造（リニアガイドの転動体の保持装置）に関するものである。
【背景技術】
【０００２】
従来のリニアガイドの転動体位置の保持構造は、リニアガイドの転動体位置を保持することにより、隣り合う転動体の衝突を防止するのみならず、グリースなど潤滑油を入れる空間をも提供できる。
【０００３】
従来のリニアガイドの転動体位置の保持構造としては、例えば、米国特許第6,155,718号「SLIDE GUIDE AND ITS ROLLER CHAIN WITH ENDS」の特許文献１が案出されており、この発明は、互いに平行に並設される２つの連結部材の長手方向に沿って、所定の間隔で複数の仕切り部が設けられ、該各仕切り部の間に転動体となるボールを装着するための円形穴が設けられる構造である。この発明の構造によれば、転動体の側面を円形穴に入れることにより、転動体を拘持することができる。
【０００４】
更に、台湾実用新案登録第M243590号に係る「改良式消音型リニアガイドの構造」の特許文献２では、仕切り部の側面に、転動体を拘持する収納溝が設けられ、該収納溝を仕切り部の周縁と連通させることにより、プラスチック成形する時、該収納溝に沿って容易に離型することができるので、製造上の利便性を高めることができる。
【特許文献１】米国特許第6155718号
【特許文献２】台湾実用新案登録第M243590号
【発明の開示】
【発明が解決しようとする課題】
【０００５】
しかしながら、前記従来の装置には、以下のような欠点がある。
前記特許文献１のリニアガイドの転動体位置の保持構造は、仕切り部と転動体との接触面積が大きいことから、摩擦力も大きいので、該転動体の転動に悪い影響を与えるだけでなく、潤滑油も無駄に取り除かれてしまうので、潤滑効果を低下させてしまう。また、プラスチック成形する時には、前記円形穴の形成方向が鋳型の離型方向と垂直するので、鋳型からの離型作業がし難い。
更に、前記特許文献２のリニアガイドの転動体位置の保持構造は、拘持溝と、該拘持溝を仕切りする間隔部材と、該拘持溝における間隔部材の間に別々に設置される転動体とを有し、該転動体が拘持溝に沿って連結部材から脱落し易いと共に、該拘持溝は潤滑油を滞留させ難いので、潤滑効果が低下してしまう。
【０００６】
そこで出願されたのが本発明であって、より小さな接触面と、拘持効果を増進する設計により、拘持効果及び潤滑効果に優れるリニアガイドの転動体位置の保持構造を提供することを目的としている。
【課題を解決するための手段】
【０００７】
本願の第１発明は、第１連結部材と、該第１連結部材と平行に並設される第２連結部材と、長手方向に沿って所定の間隔で該第１連結部材と第２連結部材との間に設けられる複数の仕切り部とを備え、前記各仕切り部同士の間における、第１連結部材と第２連結部材との間に収納孔が形成され、該各仕切り部の前記収納孔側の側面における、第１連結部材と第２連結部材との間にそれぞれ、互いに隣接し合う第１拘束面及び第２拘束面が設けられ、前記各第１拘束面は、上方に第１直立部が、下方に第１かぎつめ部が設けられ、該各第２拘束面は、上方に第２かぎつめ部が、下方に第２直立部が設けられ、隣の拘束面同士の直立部とかぎつめ部が交錯に配置されることを特徴とする、リニアガイドの転動体位置の保持構造を提供する。
【０００８】
本願の第２発明は、前記収納孔は円形を呈し、前記仕切り部の収納孔側における、該第１拘束面の第１かぎつめ部は、円弧形を呈する第１縁端部を有し、該第２拘束面の第２かぎつめ部は、円弧形を呈する第２縁端部を有し、該第１縁端部の外側は内側より収納孔側に突出すると共に、該第２縁端部の外側は内側より収納孔側に突出することを特徴とする、第１発明のリニアガイドの転動体位置の保持構造を提供する。
【０００９】
本願の第３発明は、前記収納孔が長方形を呈し、前記仕切り部の収納孔側の側面における、前記第１連結部材と第２連結部材との間に第１拘束面と第２拘束面が設けられ、該第２拘束面における前記第１拘束面と隣接する側の反対側に、更に、第３拘束面が設けられ、該第３拘束面は、上方に第３直立部が、下方に第３かぎつめ部が設けられ、該第３拘束面は、上方に第３直立部が、下方に第３かぎつめ部が設けられることを特徴とする、第１発明のリニアガイドの転動体位置の保持構造を提供する。
【００１０】
本願の第４発明は、該第１拘束面の下方に設けられる第１かぎつめ部は前記第１連結部材と及び第２連結部材と平行する直線状を呈する第１縁端部を有し、第２拘束面の上方に設けられる第２かぎつめ部は前記第１連結部材と及び第２連結部材と平行する直線状を呈する第２縁端部を有し、該第３拘束面の下方に設けられる第３かぎつめ部は前記第１連結部材と及び第２連結部材と平行する直線状を呈する第３縁端部を有することを特徴とする、第３発明の記載のリニアガイドの転動体位置の保持構造を提供する。
【００１１】
本願の第５発明は、前記各仕切り部における拘束面の直立部と、相対する仕切り部における拘束面の直立部とが夫々反対方向へ延出していることを特徴とする、第１発明乃至第３発明のいずれかのリニアガイドの転動体位置の保持構造を提供する。
【発明の効果】
【００１２】
本発明に係るリニアガイドの転動体位置の保持構造は、少なくとも以下の効果を有する。
１．各拘束面のかぎつめ部は、転動体との接触面を縮小することにより、摩擦力を低減すると共に、転動体を落とさないように覆うことから、転動体を所定の位置に拘持するので、優れた拘持効果を齎すのみならず、転動中の転動体の揺れを抑えることができる。
２．各拘束面の直立部は、転動体が転動する時に、潤滑油を互いに対面する２つの拘束面における循環させることにより、潤滑油を確保することができるので、潤滑効果をより向上させると共に磨り減りを低減することができる。
３．各拘束面の直立部は、鋳型の離型方向と平行に設けられるので、鋳型を支障なく離型することができることにより、離型作業が極めて容易であるだけでなく、容易に鋳型を製造することができるため、歩留まりをよくすること及びコストを低減することが可能となる。
【発明を実施するための最良の形態】
【００１３】
以下、添付図面を参照して本発明の好適な実施の形態を詳細に説明する。
【００１４】
図１は本発明に係る構造の第１実施例を示す分解斜視図であり、図２は本発明に係る構造の第１実施例を示す他の分解斜視図であり、図３は本発明に係る構造の第１実施例を示す側面断面図であり、図４は本発明に係る構造の第２実施例を示す分解斜視図であり、図５は本発明に係る構造の第３実施例を示す分解斜視図であり、図６は本発明に係る構造の第３実施例を示す他の分解斜視図であり、図７は本発明に係る構造の第４実施例を示す分解斜視図であり、図８は本発明に係る構造の第４実施例を示す他の分解斜視図であり、図９は本発明に係る構造の第４実施例を示す側面断面図であり、図１０は本発明に係る構造の第５実施例を示す分解斜視図であり、図１１は本発明に係る構造の第５実施例を示す他の分解斜視図である。
【実施例１】
【００１５】
図１、図２及び図３に示すように、本発明に係るリニアガイドの転動体位置の保持構造の第１実施例は、第１連結部材（２０）と、前記第１連結部材（２０）と平行に並設される第２連結部材（２１）と、長手方向に沿って所定の間隔で該第１連結部材（２０）と第２連結部材（２１）との間に設けられる複数の仕切り部（１０）とを備え、前記各仕切り部（１０）は垂直方向に沿って設置され、各仕切り部（１０）同士の間における、第１連結部材（２０）と第２連結部材（２１）との間に転動体（３０）となるボールを収納するためのほぼ円形を呈する収納孔（２２A）が形成され、前記各仕切り部（１０）の前記収納孔（２２A）側における、前記第１連結部材（２０）と第２連結部材（２１）との間に、互いに隣接し合う第１拘束面（１１）と第２拘束面（１２）とが設けられ、前記第１拘束面（１１）は、上方に第１直立部（１１１）が、下方に第１かぎつめ部（１１２）が設けられ、該各第２拘束面（１１）は、上方に第２かぎつめ部（１２１）が、下方に第２直立部（１２２）が設けられる。
又、前記第１連結部材（２０）と第２連結部材（２１）の、前記収納孔（２２A）側の側面には夫々前記転動体（３０）と対応する円弧面（２０１）（２１１）を有する。
そして、前記第１直立部（１１１）と転動体（３０）との間、及び前記第２直立部（１２２）と前記転動体（３０）との間に潤滑油が注入されるので、優れた潤滑効果を達成できる。
【００１６】
更に、前記第１拘束面（１１）の第１かぎつめ部（１１２）は、円弧形を呈する第１縁端部（１１２１）を有すると共に、該第２拘束面（１２）の第２かぎつめ部（１２１）は、円弧形を呈する第２縁端部（１２１１）を有し、該第１縁端部（１１２１）の外側は内側より収納孔（２２A）に突出すると共に、該第２縁端部（１２１１）の外側は内側より収納孔（２２A）側に突出するので、前記転動体（３０）をより確実に拘持できる。
又、前記第１実施例の各仕切り部（１０）における第１拘束面（１１）の第１直立部（１１１）と、該第１直立部（１１１）と対面する仕切り部（１０）の第１拘束面（１１）の第１直立部（１１１）とがそれぞれ反対方向へ延出していると共に、
該各仕切り部（１０）における第２拘束面（１２）の第２直立部（１２２）と、前記第２直立部（１２２）と対面する仕切り部（１０）における第２拘束面（１２）の第２直立部（１２２）とがそれぞれ反対方向へ延出しても良い。
【実施例２】
【００１７】
図４に示すように、本発明に係る第２実施例は、前記第１実施例を変形して改良するものであり、前記第１実施例と殆ど等しく、特に異なる部分としては、第２実施例において収納孔（２２B）が八角形を呈する点である。
【実施例３】
【００１８】
図５及び図６に示すように、本発明に係る第３実施例は、前記第２実施例と殆ど等しく、特に異なる部分としては、各仕切り部（１０）における第１拘束面（１１）の第１直立部（１１１）と、該第１直立部（１１１）と対面する仕切り部（１０）の第１拘束面（１１）の第１直立部（１１１）とがそれぞれ反対方向へ延出していると共に、該各仕切り部（１０）における第２拘束面（１２）の第２直立部（１２２）と、前記第２直立部（１２２）と対面する仕切り部（１０）における第２拘束面（１２）の第２直立部（１２２）とがそれぞれ反対方向へ延出している点である。
これにより、各互いに対面する第１拘束面（１１）同士、及び互いに対面する第２拘束面（１２）同士は、転動体（３０）を覆うように、優れている拘持効果を齎すことができる。
【実施例４】
【００１９】
図７、図８及び図９に示すように、本発明の第４実施例は、第１連結部材（５０）と、該第１連結部材（５０）と平行に並設される第２連結部材（５１）と、長手方向に沿って所定の間隔で第１連結部材（５０）と第２連結部材（５１）の間に設けられる複数の仕切り部（４０）とを備え、
前記各仕切り部（４０）同士の間における、前記第１連結部材（５０）と第２連結部材（５１）の間に、転動体（６０）となる円柱体を収納するための、略長方形の収納孔（５２）が形成され、
前記各仕切り部（４０）の収納孔（５２）側の側面における、前記第１連結部材（５０）と第２連結部材（５１）との間に互いに隣接し合う第１拘束面（４１）、第２拘束面（４２）、及び第３拘束面（４３）が設けられ、該第３拘束面（４３）が該第２拘束面（４２）における前記第１拘束面（４１）と隣接する側の反対側に設けられ、
前記第１拘束面（４１）は、上方に第１直立部（４１１）が、下方に第１かぎつめ部（４１２）が設けられ、該第２拘束面（４２）は、上方に第２かぎつめ部（４２１）が、下方に第２直立部（４２２）が設けられ、前記第３拘束面（４３）は、上方に第３直立部（４３１）が、下方に第３かぎつめ部（４３２）が設けられる。
又、前記第１連結部材（５０）と第２連結部材（５１）における収納孔（５２）側の側面に夫々前記転動体（６０）と対応するコ形面（５０１）（５１１）を有する。
【００２０】
前記第１拘束面（４１）の下方に設けられる第１かぎつめ部（４１２）は直線状を呈する第１縁端部（４１２１）を有し、第２拘束面（４２）の上方に設けられる第２かぎつめ部（４２１）は直線状を呈する第２縁端部（４２１１）を有し、該第３拘束面（４３）の下方に設けられる第３かぎつめ部（４３２）は直線状を呈する第３縁端部（４３２１）を有する。
又、該第１縁端部（４１２１）は収納孔（５２）に突出し、該第２縁端部（４２１１）は収納孔（５２）側に突出すると共に、該第３縁端部（４３２１）は収納孔（５２）側に突出するので、前記転動体（３０）を確実に拘持できる。
【実施例５】
【００２１】
図１０及び図１１に示すように、本発明の第５実施例は、前記第４実施例と殆ど等しく、特に異なる部分としては、各仕切り部（４０）における第１拘束面（４１）の第１直立部（４１１）と、該第１直立部（４１１）と対面する仕切り部（４０）の第１拘束面（４１）の第１直立部（４１１）とがそれぞれ反対方向へ延出していて、該各仕切り部（４０）における第２拘束面（４２）の第２直立部（４２２）と、前記第２直立部（４２２）と対面する仕切り部（４０）における第２拘束面（４２）の第２直立部（４２２）とがそれぞれ反対方向へ延出していると共に、該各仕切り部（４０）における第２拘束面（４３）の第３直立部（４３２）と、前記第３直立部（４３２）と対面する仕切り部（４０）における第３拘束面（４３）の第３直立部（４３２）とがそれぞれ反対方向へ延出している点である。
これにより、相対する拘束面（４１）（４２）（４３）同士は、転動体（６０）を覆うように、優れている拘持効果を齎すことができる。
【００２２】
本発明に係るリニアガイドの転動体位置の保持構造は、各拘束面のかぎつめ部により、優れた拘持効果を齎すと共に、各拘束面の直立部は潤滑油を確保することができるので、潤滑効果をより向上させることができる。更に、各拘束面の直立部は、鋳型の離型方向と平行に設けられるので、離型作業が極めて容易である。
【図面の簡単な説明】
【００２３】
【図１】本発明に係る構造の第１実施例を示す分解斜視図である。
【図２】本発明に係る構造の第１実施例を示す他の分解斜視図である。
【図３】本発明に係る構造の第１実施例を示す側面断面図である。
【図４】本発明に係る構造の第２実施例を示す分解斜視図である。
【図５】本発明に係る構造の第３実施例を示す分解斜視図である。
【図６】本発明に係る構造の第３実施例を示す他の分解斜視図である。
【図７】本発明に係る構造の第４実施例を示す分解斜視図である。
【図８】本発明に係る構造の第４実施例を示す他の分解斜視図である。
【図９】本発明に係る構造の第４実施例を示す側面断面図である。
【図１０】本発明に係る構造の第５実施例を示す分解斜視図である。
【図１１】本発明に係る構造の第５実施例を示す他の分解斜視図である。
【符号の説明】
【００２４】
１０      仕切り部        １１      第１拘束面
１１１    第１直立部      １１２    第１かぎつめ部
１１２１  第１縁端部      １２      第２拘束面
１２１    第２かぎつめ部  １２１１  第２縁端部
１２２    第２直立部      ２０      第１連結部材
２０１    円弧面          ２１      第２連結部材
２１１    円弧面          ２２Ａ    収納孔
２２Ｂ    収納孔          ３０      転動体
４０      仕切り部        ４１      第１拘束面
４１１    第１直立部      ４１２    第１かぎつめ部
４１２１  第１縁端部      ４２      第２拘束面
４２１    第２かぎつめ部  ４２１１  第２縁端部
４２２    第２直立部      ４３      第３拘束面
４３１    第３直立部      ４３２    第３かぎつめ部
４３２１  第３縁端部      ５０      第１連結部材
５０１    コ形面          ５１      第２連結部材
５１１    コ形面          ５２      収納孔
６０      転動体
【図１】
2008144902.tif 000003
【図２】
2008144902.tif 000004
【図３】
2008144902.tif 000005
【図４】
2008144902.tif 000006
【図５】
2008144902.tif 000007
【図６】
2008144902.tif 000008
【図７】
2008144902.tif 000009
【図８】
2008144902.tif 000010
【図９】
2008144902.tif 000011
【図１０】
2008144902.tif 000012
【図１１】
2008144902.tif 000013